(57)【要約】【課題】使用性の向上を図り、押し間違えて意図しないヒーターを加熱してしまう危険性のない、安全性を向上させた加熱調理器を提供すること。【解決手段】トップフレーム前方に、加熱調理条件等を入力する制御手段を有する操作部をそれぞれ設けた構成とすることにより、それぞれの操作ボタンがどのヒーターに対応しているのかわかりやすく配置させて使用性の向上を図り、押し間違えて意図しないヒーターを加熱してしまう危険性のない、安全性を向上させた加熱調理器を提供することができる。【選択図】図１
2008106988.tif 000002
【特許請求の範囲】
【請求項１】
外郭を構成する本体と、前記本体の上面に設けたトッププレートと、前記トッププレートの外周を保持するトップフレームと、前記トッププレート上に複数の加熱手段を有し、任意の前記加熱手段に対して前記トッププレート略同一面と前記トップフレーム前方に、加熱調理条件等を入力する制御手段を有する操作部をそれぞれ設けた加熱調理器。
【請求項２】
外郭を構成する本体と、前記本体の上面に設けたトッププレートと、前記トッププレートの外周を保持するトップフレームと、前記トッププレート上に少なくとも１つの誘導加熱手段と、少なくとも１つの電気抵抗発熱式加熱手段を有し、前記誘導加熱手段の加熱調理条件等を入力する制御手段を有する操作部をトッププレート略同一面に設け、前記電気抵抗発熱式加熱手段の加熱調理条件等を入力する制御手段を有する操作部を前記トップフレーム前方に設けた加熱調理器。
【請求項３】
外郭を構成する本体と、前記本体の上面に設けたトッププレートと、前記トッププレートの外周を保持するトップフレームと、前記トッププレート上に複数の加熱手段と、本体前面に内部に電気抵抗発熱式加熱手段を具備した焙焼器を有し、前記トッププレート上に複数の加熱手段の加熱調理条件等を入力する制御手段を有する操作部をトッププレート略同一面に設け、前記焙焼器の加熱調理条件等を入力する制御手段を有する操作部を前記トップフレーム前方に設けた加熱調理器。
【請求項４】
外郭を構成する本体と、前記本体の上面に設けたトッププレートと、前記トッププレートの外周を保持するトップフレームと、前記トッププレート上に少なくとも１つの誘導加熱手段と、少なくとも１つの電気抵抗発熱式加熱手段と、本体前面に内部に電気抵抗発熱式加熱手段を具備した焙焼器を有し、前記誘導加熱手段の加熱調理条件等を入力する制御手段を有する操作部をトッププレート略同一面に設け、前記トッププレート上の電気抵抗発熱式加熱手段と前記焙焼器の加熱調理条件等を入力する制御手段を有する操作部を前記トップフレーム前方に設けた加熱調理器。
【請求項５】
トップフレーム前方に加熱手段の加熱状態を表示する表示部を設け、トップフレーム前方部は手前に角度をつけた請求項１〜４のいずれか１項に記載の加熱調理器。
【発明の詳細な説明】
【技術分野】
【０００１】
本発明は、一般家庭のキッチンで使用する加熱調理器に関するものである。
【背景技術】
【０００２】
従来、この種の加熱調理器は、図６に示すように、本体ケース（図示せず）と、その上方を覆うトッププレート１と、トッププレート１の外周を覆うトップフレーム（枠体）２と、本体正面を構成する焙焼器（グリラー）３、およびその前面を構成する扉部４と、スイッチつまみ５等を有する操作部（操作パネル）６から構成されている。トッププレート１の上面には、誘導加熱ヒーターを示すサークル７、８、９が描かれており、それぞれトッププレート１の下方に各ヒーターが具備されている。トップフレーム２の前方には、各ヒーターの火力調節等ができる操作ボタンを有した天板操作部１０、１１、１２がそれぞれ設けられており、スイッチつまみ５と同様に各入力操作を行うものである。また、各サークル７、８、９の前方には火力の状況やタイマーの設定等を表示する天面表示部１３、１４、１５が設けられている（例えば、特許文献１参照）。
【特許文献１】特開２００５−３１７３０５号公報
【発明の開示】
【発明が解決しようとする課題】
【０００３】
しかしながら、前記従来の構成では、主な操作ボタンをトップフレーム２に配置することで操作性の向上を図っているが、３つの誘導加熱ヒーターの操作部をトップフレーム２前方の略同一面に位置させている為、操作ボタンの配置エリアにゆとりがなく多くの操作ボタンが略横一列に並んでしまい、使用者にとって非常にわかりにくい上に、ボタン操作の押し間違いで意図しないヒーターの加熱をしてしまう危険性があるという課題を有していた。
【０００４】
また、図７に示すように、トッププレート１６上に操作ボタン１７、１８、１９と表示部２０、２１、２２を配置した従来例もあるが、前述した従来例と同様の課題を呈するものであった。
【０００５】
本発明は、前記従来の課題を解決するもので、使い勝手の良い天面部に、加熱ヒーターの火力調節等の操作部を設けるとともに、それぞれの操作ボタンがどのヒーターに対応しているのかわかりやすく配置させて使用性の向上を図り、押し間違えて意図しないヒーターを加熱してしまう危険性のない、安全性を向上させた加熱調理器を提供することを目的とする。
【課題を解決するための手段】
【０００６】
前記従来の課題を解決するために、本発明の加熱調理器は、外郭を構成する本体と、前記本体の上面に設けたトッププレートと、前記トッププレートの外周を保持するトップフレームと、前記トッププレート上に複数の加熱手段を有し、任意の前記加熱手段に対して前記トッププレート略同一面と前記トップフレーム前方に、加熱調理条件等を入力する制御手段を有する操作部をそれぞれ設けた構成としたものである。
【０００７】
これにより、各加熱ヒーターの火力調節等を行う操作ボタンは、スペース的にゆとりを持って設けることができ、それぞれの加熱ヒーターとの関連等をわかりやすく配置できるとともに、押し間違えて意図しないヒーターを加熱してしまう危険性も減少させることができ、使い勝手と安全性の向上を図れるものである。
【０００８】
また、本発明の加熱調理器は、外郭を構成する本体と、前記本体の上面に設けたトッププレートと、前記トッププレートの外周を保持するトップフレームと、前記トッププレート上に少なくとも１つの誘導加熱手段と、少なくとも１つの電気抵抗発熱式加熱手段を有し、前記誘導加熱手段の加熱調理条件等を入力する制御手段を有する操作部をトッププレート略同一面に設け、前記電気抵抗発熱式加熱手段の加熱調理条件等を入力する制御手段を有する操作部を前記トップフレーム前方に設けた構成としたものである。
【０００９】
これにより、各加熱ヒーターの火力調節等を行う操作ボタンは、スペース的にゆとりを持って設けることができ、それぞれの加熱ヒーターとの関連等をわかりやすく配置できるとともに、押し間違えて意図しないヒーターを加熱してしまう危険性も減少させることができ、使い勝手と安全性の向上を図れる上に、一般的に触れるだけで操作することができる静電容量方式や赤外線方式によって構成されることが多いトッププレート上の操作部を誘導加熱手段用に、またある程度押圧の必要な機械接点式スイッチで構成されるトップフレーム前方に設けられた操作部を電気抵抗発熱式加熱手段用にしたことにより、誤って操作すると非常に高温になる電気抵抗発熱式加熱手段への誤入力を防止することができ、さらなる安全性の向上が図れるものである。
【００１０】
また、本発明の加熱調理器は、外郭を構成する本体と、前記本体の上面に設けたトッププレートと、前記トッププレートの外周を保持するトップフレームと、前記トッププレート上に複数の加熱手段と、本体前面に内部に電気抵抗発熱式加熱手段を具備した焙焼器を有し、前記トッププレート上に複数の加熱手段の加熱調理条件等を入力する制御手段を有する操作部をトッププレート略同一面に設け、前記焙焼器の加熱調理条件等を入力する制御手段を有する操作部を前記トップフレーム前方に設けた構成としたものである。
【００１１】
これにより、各加熱ヒーターと焙焼器の操作部は、すべて天面部に集約することができ、使い勝手の著しい向上が図れるとともに、各加熱ヒーターと焙焼器の操作部エリアが明らかに異なっている為、すべての操作部を略同一面上に配置した場合に比較して意図しないヒーターへの誤入力を防止することができ、安全性の向上が図れるものである。
【００１２】
また、本発明の加熱調理器は、外郭を構成する本体と、前記本体の上面に設けたトッププレートと、前記トッププレートの外周を保持するトップフレームと、前記トッププレート上に少なくとも１つの誘導加熱手段と、少なくとも１つの電気抵抗発熱式加熱手段と、本体前面に内部に電気抵抗発熱式加熱手段を具備した焙焼器を有し、前記誘導加熱手段の加熱調理条件等を入力する制御手段を有する操作部をトッププレート略同一面に設け、前記トッププレート上の電気抵抗発熱式加熱手段と前記焙焼器の加熱調理条件等を入力する制御手段を有する操作部を前記トップフレーム前方に設けた構成としたものである。
【００１３】
これにより、各加熱ヒーターの火力調節等を行う操作ボタンは、スペース的にゆとりを持って設けることができ、それぞれの加熱ヒーターとの関連等をわかりやすく配置できるとともに、押し間違えて意図しないヒーターを加熱してしまう危険性も減少させることができ、使い勝手と安全性の向上を図れる上に、一般的に触れるだけで操作することができる静電容量方式や赤外線方式によって構成されることが多いトッププレート上の操作部を誘導加熱手段用に、またある程度押圧の必要な機械接点式スイッチで構成されるトップフレーム前方に設けられた操作部を、内部に電気抵抗発熱式加熱手段を具備した焙焼器と、トッププレートに設けた電気抵抗発熱式加熱手段用にしたことにより、誤って操作すると非常に高温になる電気抵抗発熱式加熱手段への誤入力を防止することができ、さらなる安全性の向上が図れるものである。
【００１４】
また、本発明の加熱調理器は、トップフレーム前方に加熱手段の加熱状態を表示する表示部を設け、トップフレーム前方部は手前に角度をつけた構成としたものである。
【００１５】
これにより、使用者の視点に対して略垂直方向に表示部が向くため、表示内容を確認しやすくなり、使い勝手のさらなる向上が図れるものである。
【発明の効果】
【００１６】
本発明の加熱調理器は、使い勝手の良い天面部に、加熱ヒーターの火力調節等の操作部を設けるとともに、それぞれの操作ボタンがどのヒーターに対応しているのかわかりやすく配置させて使用性の向上を図り、押し間違えて意図しないヒーターを加熱してしまう危険性のない、安全性を向上させた加熱調理器を提供することができるものである。
【発明を実施するための最良の形態】
【００１７】
第１の発明は、外郭を構成する本体と、前記本体の上面に設けたトッププレートと、前記トッププレートの外周を保持するトップフレームと、前記トッププレート上に複数の加熱手段を有し、任意の前記加熱手段に対して前記トッププレート略同一面と前記トップフレーム前方に、加熱調理条件等を入力する制御手段を有する操作部をそれぞれ設けた構成としたことにより、各加熱ヒーターの火力調節等を行う操作ボタンは、スペース的にゆとりを持って設けることができ、それぞれの加熱ヒーターとの関連等をわかりやすく配置できるとともに、押し間違えて意図しないヒーターを加熱してしまう危険性も減少させることができ、使い勝手と安全性の向上を図れるものである。
【００１８】
第２の発明は、本発明の加熱調理器は、外郭を構成する本体と、前記本体の上面に設けたトッププレートと、前記トッププレートの外周を保持するトップフレームと、前記トッププレート上に少なくとも１つの誘導加熱手段と、少なくとも１つの電気抵抗発熱式加熱手段を有し、前記誘導加熱手段の加熱調理条件等を入力する制御手段を有する操作部をトッププレート略同一面に設け、前記電気抵抗発熱式加熱手段の加熱調理条件等を入力する制御手段を有する操作部を前記トップフレーム前方に設けた構成としたことにより、各加熱ヒーターの火力調節等を行う操作ボタンは、スペース的にゆとりを持って設けることができ、それぞれの加熱ヒーターとの関連等をわかりやすく配置できるとともに、押し間違えて意図しないヒーターを加熱してしまう危険性も減少させることができ、使い勝手と安全性の向上を図れる上に、一般的に触れるだけで操作することができる静電容量方式や赤外線方式によって構成されることが多いトッププレート上の操作部を誘導加熱手段用に、またある程度押圧の必要な機械接点式スイッチで構成されるトップフレーム前方に設けられた操作部を電気抵抗発熱式加熱手段用にしたことにより、誤って操作すると非常に高温になる電気抵抗発熱式加熱手段への誤入力を防止することができ、さらなる安全性の向上が図れるものである。
【００１９】
第３の発明は、外郭を構成する本体と、前記本体の上面に設けたトッププレートと、前記トッププレートの外周を保持するトップフレームと、前記トッププレート上に複数の加熱手段と、本体前面に内部に電気抵抗発熱式加熱手段を具備した焙焼器を有し、前記トッププレート上に複数の加熱手段の加熱調理条件等を入力する制御手段を有する操作部をトッププレート略同一面に設け、前記焙焼器の加熱調理条件等を入力する制御手段を有する操作部を前記トップフレーム前方に設けた構成としたことにより、各加熱ヒーターと焙焼器の操作部は、すべて天面部に集約することができ、使い勝手の著しい向上が図れるとともに、各加熱ヒーターと焙焼器の操作部エリアが明らかに異なっている為、すべての操作部を略同一面上に配置した場合に比較して意図しないヒーターへの誤入力を防止することができ、安全性の向上が図れるものである。
【００２０】
第４の発明は、外郭を構成する本体と、前記本体の上面に設けたトッププレートと、前記トッププレートの外周を保持するトップフレームと、前記トッププレート上に少なくとも１つの誘導加熱手段と、少なくとも１つの電気抵抗発熱式加熱手段と、本体前面に内部に電気抵抗発熱式加熱手段を具備した焙焼器を有し、前記誘導加熱手段の加熱調理条件等を入力する制御手段を有する操作部をトッププレート略同一面に設け、前記トッププレート上の電気抵抗発熱式加熱手段と前記焙焼器の加熱調理条件等を入力する制御手段を有する操作部を前記トップフレーム前方に設けた構成としたことにより、各加熱ヒーターの火力調節等を行う操作ボタンは、スペース的にゆとりを持って設けることができ、それぞれの加熱ヒーターとの関連等をわかりやすく配置できるとともに、押し間違えて意図しないヒーターを加熱してしまう危険性も減少させることができ、使い勝手と安全性の向上を図れる上に、一般的に触れるだけで操作することができる静電容量方式や赤外線方式によって構成されることが多いトッププレート上の操作部を誘導加熱手段用に、またある程度押圧の必要な機械接点式スイッチで構成されるトップフレーム前方に設けられた操作部を、内部に電気抵抗発熱式加熱手段を具備した焙焼器と、トッププレートに設けた電気抵抗発熱式加熱手段用にしたことにより、誤って操作すると非常に高温になる電気抵抗発熱式加熱手段への誤入力を防止することができ、さらなる安全性の向上が図れるものである。
【００２１】
第５の発明は、トップフレーム前方に加熱手段の加熱状態を表示する表示部を設け、トップフレーム前方部は手前に角度をつけた構成としたことにより、使用者の視点に対して略垂直方向に表示部が向くため、表示内容を確認しやすくなり、使い勝手のさらなる向上が図れるものである。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における加熱調理器である誘導加熱式調理器の斜視図、図２は要部平面図を示すものである。
【００２４】
図１において、調理器本体３１（誘導加熱調理器）は流し台３２の上面開口部（図示せず）から挿入設置されている。調理器本体３１は、外郭ケース３３、上面を覆うトッププレート３４で形成されており、その外周をトップフレーム３５で覆っている。
【００２５】
トッププレート３４には左誘導加熱ヒーター部３６と、右誘導加熱ヒーター部３７と、電気抵抗発熱式加熱手段であるラジエントヒーター部３８が配置されている。それぞれのヒーター部の下方には、加熱調理を行うための誘導加熱コイルおよびラジエントヒーターが具備されている。
【００２６】
また、トッププレート３４の前方には、左右の誘導加熱ヒーターのすべての操作を行うプレート操作部３９が配置され、その通電状態等を確認するためのプレート表示部（誘導加熱ヒーター用）４０が設けられている。プレート操作部３９は、複数の静電容量方式による操作ボタンから形成されている。
【００２７】
また、トップフレーム３５の前方には、ラジエントヒーター３８のすべての操作を行うフレーム操作部４１が配置され、その通電状態等を確認するためのプレート表示部（ラジエントヒーター用）４２が設けられている。フレーム操作部４１は、複数の機械接点式スイッチによる操作ボタンから形成されている。
【００２８】
調理器本体３１の前面には、左側に魚を焼くための焙焼器４３、それを覆う扉部４４、右側に焙焼器４３を操作するための前操作部４５、その通電状態等を確認するための前表示部４６を有している。前操作部４５は、下方を軸４７で軸支され、回動自在に開閉する構成としている。
【００２９】
以上のように、本実施の形態においては、トップフレーム３５の前方には、ラジエントヒーター３８のすべての操作を行うフレーム操作部４１が配置され、その通電状態等を確認するためのプレート表示部（ラジエントヒーター用）４２が設けることにより、各加熱ヒーターの火力調節等を行う操作部３９、４１は、スペース的にゆとりを持って設けることができ、各操作部が同一平面状にないかもしくは近接していないため、それぞれの加熱ヒーターとの関連等をわかりやすく配置できるとともに、押し間違えて意図しないヒーターを加熱してしまう危険性も減少させることができ、使い勝手と安全性の向上を図れる上に、触れるだけで操作することができる静電容量方式によって構成されるプレート操作部３９を誘導加熱ヒーター部３６、３７用に、またある程度押圧の必要な機械接点式スイッチで構成されるトップフレーム３５の前方に設けられたフレーム操作部４１を電気抵抗発熱加熱式であるラジエントヒーター部３８用にしたことにより、誤って操作すると非常に高温になるラジエントヒーター部３８への誤入力を防止することができ、さらなる安全性の向上が図れるものである。
【００３０】
（実施の形態２）
図３は、本発明の第２の実施の形態の誘導加熱式調理器の平面図である。
【００３１】
図３において、トッププレート５１には左誘導加熱ヒーター部５２と、右誘導加熱ヒーター部５３と、奥誘導加熱ヒーター部５４が配置されている。それぞれのヒーター部の下方には、加熱調理を行うための誘導加熱コイルが具備されている。
【００３２】
また、トッププレート５１の前方には、３つの誘導加熱ヒーターのすべての操作を行うプレート操作部５５が配置され、その通電状態等を確認するためのプレート表示部（誘導加熱ヒーター用）５６が設けられている。プレート操作部５５は、複数の静電容量方式による操作ボタンから形成されている。
【００３３】
また、トッププレート５１の外周を覆うトップフレーム５７の前方には、調理器本体の前面に設けられた魚を焼くための焙焼器（電気抵抗発熱加熱式であるシーズヒーターを内部に具備している）のすべての操作を行うフレーム操作部５８が配置され、その通電状態等を確認するためのフレーム表示部（焙焼器用）５９が設けられている。フレーム操作部５８は、複数の機械接点式スイッチによる操作ボタンから形成されている。
【００３４】
以上のように、本実施の形態においては、トップフレーム５７の前方には、調理器本体の前面に設けられた魚を焼くための焙焼器（電気抵抗発熱加熱式であるシーズヒーターを内部に具備している）のすべての操作を行うフレーム操作部５８が配置され、その通電状態等を確認するためのフレーム表示部（焙焼器用）５９が設けられており、各誘導加熱ヒーター部５２、５３、５４と焙焼器の操作部は、すべて天面部に集約することができ、使い勝手の著しい向上が図れるとともに、各誘導加熱ヒーター部５２、５３、５４と焙焼器の操作部エリアが明らかに異なっている為、すべての操作部を略同一面上に配置した場合に比較して意図しないヒーターへの誤入力を防止することができ、安全性の向上が図れるものである。
【００３５】
（実施の形態３）
図４は、本発明の第３の実施の形態の誘導加熱式調理器の平面図である。
【００３６】
図４において、トッププレート６１には左誘導加熱ヒーター部６２と、右誘導加熱ヒーター部６３と、電気抵抗発熱式加熱手段であるラジエントヒーター部６４が配置されている。それぞれのヒーター部の下方には、加熱調理を行うための誘導加熱コイルおよびラジエントヒーターが具備されている。
【００３７】
また、トッププレート６１の前方には、左右の誘導加熱ヒーターのすべての操作を行うプレート操作部６５が配置され、その通電状態等を確認するためのプレート表示部（誘導加熱ヒーター用）６６が設けられている。プレート操作部６５は、複数の静電容量方式による操作ボタンから形成されている。
【００３８】
また、トッププレート６１の外周を覆うトップフレーム６７の前方には、ラジエントヒーターと、調理器本体の前面に設けられた魚を焼くための焙焼器（電気抵抗発熱加熱式であるシーズヒーターを内部に具備している）のすべての操作を行うフレーム操作部６８が配置され、その通電状態等を確認するためのフレーム表示部（ラジエントヒーター、焙焼器用）６９が設けられている。フレーム操作部６８は、複数の機械接点式スイッチによる操作ボタンから形成されている。
【００３９】
以上のように、本実施の形態においては、トップフレーム６７の前方には、ラジエントヒーターと、調理器本体の前面に設けられた魚を焼くための焙焼器（電気抵抗発熱加熱式であるシーズヒーターを内部に具備している）のすべての操作を行うフレーム操作部６８が配置され、その通電状態等を確認するためのフレーム表示部（ラジエントヒーター、焙焼器用）６９が設けられており、各加熱ヒーターの火力調節等を行う操作部６５、６８の操作ボタンは、スペース的にゆとりを持って設けることができ、各操作部が同一平面状にないかもしくは近接していないため、それぞれの加熱ヒーターとの関連等をわかりやすく配置できるとともに、押し間違えて意図しないヒーターを加熱してしまう危険性も減少させることができ、使い勝手と安全性の向上を図れる上に、触れるだけで操作することができる静電容量方式によって構成されるプレート操作部６５を誘導加熱ヒーター部６２、６３用に、またある程度押圧の必要な機械接点式スイッチで構成されるトップフレーム６７前方に設けられたフレーム操作部６８を、内部に電気抵抗発熱式加熱手段（シーズヒーター）を具備した焙焼器と、トッププレート６１に設けたラジエントヒーター部６４用にしたことにより、誤って操作すると非常に高温になる電気抵抗発熱式加熱手段（焙焼器、ラジエントヒーター部６４）への誤入力を防止することができ、さらなる安全性の向上が図れるものである。
【００４０】
（実施の形態４）
図５は、本発明の第４の実施の形態の誘導加熱式調理器の平面図である。
【００４１】
図５において、トッププレート７１には左誘導加熱ヒーター部７２と、右誘導加熱ヒーター部７３と、電気抵抗発熱式加熱手段であるラジエントヒーター部７４が配置されている。それぞれのヒーター部の下方には、加熱調理を行うための誘導加熱コイルおよびラジエントヒーターが具備されている。
【００４２】
また、トッププレート７１の前方には、左右の誘導加熱ヒーターのすべての操作を行うプレート操作部７５が配置され、その通電状態等を確認するためのプレート表示部（誘導加熱ヒーター用）７６が設けられている。プレート操作部７５は、複数の静電容量方式による操作ボタンから形成されている。
【００４３】
また、トッププレート７１の外周を覆うトップフレーム７７の前方には、ラジエントヒーター部７４のすべての操作を行うフレーム操作部７８が配置され、その通電状態等を確認するためのフレーム表示部（ラジエントヒーター用）７９が設けられている。フレーム操作部７８は、複数の機械接点式スイッチによる操作ボタンから形成されている。
【００４４】
フレーム表示部（ラジエントヒーター用）７９は、手前に角度を設けた構成としている。
【００４５】
以上のように、本実施の形態においては、フレーム表示部（ラジエントヒーター用）７９は、手前に角度を設けた構成とすることにより、使用者の視点に対して略垂直方向にフレーム表示部７８が向くため、表示内容を確認しやすくなり、使い勝手のさらなる向上が図れるものである。
【産業上の利用可能性】
【００４６】
以上のように、本発明にかかる加熱調理器は、任意の加熱手段に対してトッププレート略同一面とトップフレーム前方に、加熱調理条件等を入力する制御手段を有する操作部をそれぞれ設けた構成とすることにより、それぞれの操作ボタンがどのヒーターに対応しているのかわかりやすく配置させて使用性の向上を図り、押し間違えて意図しないヒーターを加熱してしまう危険性のない、安全性を向上させた加熱調理器を提供することができるものであり、誘導加熱方式のヒーターを含むあらゆる組み合わせの複合調理器に適用できるものである。
【図面の簡単な説明】
【００４７】
【図１】本発明の第１の実施の形態における誘導加熱式調理器の斜視図
【図２】本発明の第１の実施の形態における誘導加熱式調理器の要部平面図
【図３】本発明の第２の実施の形態における誘導加熱式調理器の平面図
【図４】本発明の第３の実施の形態における誘導加熱式調理器の平面図
【図５】本発明の第４の実施の形態における誘導加熱式調理器の平面図
【図６】従来の誘導加熱式調理器の斜視図
【図７】従来の誘導加熱式調理器の平面図
【符号の説明】
【００４８】
３１  調理器本体
３２  流し台
３３  外郭ケース
３４、５１、６１、７１  トッププレート
３５、５７、６７、７７  トップフレーム
３６、５２、６２、７２  左誘導加熱ヒーター部
３７、５３、６３、７３  右誘導加熱ヒーター部
３８、６４、７４  ラジエントヒーター部
３９、５５、６５、７５  プレート操作部
４０、５６、６６、７６  プレート表示部（誘導加熱ヒーター用）
４１、５８、６８、７８  フレーム操作部
４２  プレート表示部（ラジエントヒーター用）
４３  焙焼器
４４  扉部
４５  前操作部
４６  前表示部
４７  軸
５４  奥誘導加熱ヒーター部
５９  フレーム表示部（焙焼器用）
６９  フレーム表示部（ラジエントヒーター、焙焼器用）
７９  フレーム表示部（ラジエントヒーター用）
【図１】
2008106988.tif 000003
【図２】
2008106988.tif 000004
【図３】
2008106988.tif 000005
【図４】
2008106988.tif 000006
【図５】
2008106988.tif 000007
【図６】
2008106988.tif 000008
【図７】
2008106988.tif 000009